(57)【特許請求の範囲】
【請求項１】
被覆ホイル（９）を用いて封止される粉末含有キャビティ（１）を、手により配置された吸入管（１１）を用いて空にするための装置（Ｖ）であって、キャビティ（１）に対して配置されガイドされる吸入管（１１）の先導部は、キャビティ（１）内に空気を流すための自由横断領域を残しながら、被覆ホイル（９）を穿孔し、
吸入管（１１）の先導部は、その先導部に設けられた、軸方向に突出する切断フランク（１２）に隣接して、延長部（２２／８１）を有し、
この延長部は、キャビティ（１）に隣接して配置された担体（Ｔ）に設けたスロット（１９および／または８３、５５または２５）内にガイドされ、
キャビティ（１）は、ブリスタパック（２）として担体（Ｔ）内に挿入されることを特徴とする装置（Ｖ）。
【請求項２】
請求項１の装置（Ｖ）であって、
吸入管（１１）は、互いに垂直方向にある２つの平面（Ｅ１、Ｅ２）においてのみ連続的に移動できるように、担体（Ｔ）に対してガイドされることを特徴とする装置（Ｖ）。
【請求項３】
請求項１または２の装置（Ｖ）であって、
吸入管（１１）は、所定の距離を隔てて対向するように配置された少なくとも２つの延長部（８１）を有し、
延長部は、吸入管（１１）の軸方向に延びる切断エッジを超えて突出することを特徴とする装置（Ｖ）。
【請求項４】
請求項１ないし３のいずれか１の装置（Ｖ）であって、
延長部（８１）が平坦な舌部（８２）として形成されることを特徴とする装置（Ｖ）。
【請求項５】
請求項４の装置（Ｖ）であって、
舌部（８２）は、スロット（１９）内を移動でき、スロット（１９）のベースから延びる単一スロット（８３）内に移動可能であることを特徴とする装置（Ｖ）。
【請求項６】
請求項１ないし５のいずれか１の装置（Ｖ）であって、
吸入管（１１）は、２つの平面（Ｅ１、Ｅ２）の一方において移動でき、折り畳み可能なように、および直立するようにガイドされることを特徴とする装置（Ｖ）。
【請求項７】
請求項１ないし６のいずれか１の装置（Ｖ）であって、
吸入管配置自由空間（２５／８３）がスロット（１９）の下方に配置されていることを特徴とする装置（Ｖ）。
【請求項８】
請求項１ないし７のいずれか１の装置（Ｖ）であって、
吸入管（１１）は、担体（Ｔ）のスロット（１９）内を連続的に移動でき、
スロット（１９）は、孔（１７）の両側に配置されることを特徴とする装置（Ｖ）。
【請求項９】
請求項４または５の装置（Ｖ）であって、
吸入管（１１）が挿入されていない状態のとき、舌部（８２）は、ブリスタパック担体（Ｔ）に対して回転可能に取り付けられることを特徴とする装置（Ｖ）。
【請求項１０】
請求項１ないし９のいずれか１の装置（Ｖ）であって、
延長部（８１）は、担体側面上に軸方向のスタンプ（８９）に入ることにより、結合舌部を形成することを特徴とする装置（Ｖ）。
【請求項１１】
請求項１ないし１０のいずれか１の装置（Ｖ）であって、
吸入管（１１）の切断エッジをホール（１７）へ配置し、移動させる際、舌部の弧状端部はガイドとして機能することを特徴とする装置（Ｖ）。
【請求項１２】
請求項１ないし１１のいずれか１の装置（Ｖ）であって、
ブリスタパック担体（Ｔ）のスロット（１９）に入る舌部（２２）および吸入管（１１）は、孔（１７）と対応する上方位置において折り畳むことができることを特徴とする装置（Ｖ）。
【請求項１３】
請求項１ないし１２のいずれか１の装置（Ｖ）であって、
吸入管配置自由空間（２５）は、スロット（１９）から延びる穿孔通路として形成され、
各舌部は、穿孔通路内へ移動可能な突出部（２４）を有することを特徴とする装置（Ｖ）。
【請求項１４】
請求項１ないし１３のいずれか１の装置（Ｖ）であって、
吸入管（１１）は、穿孔部分（２７）を有し、
穿孔部分（２７）は、孔（１７）内を移動でき、突出部（２４）が穿孔通路に入る際、吸入管（１１）を直線的にガイドしやすくなるように、穿孔切断フランクに対して後退した位置に配置されることを特徴とする装置（Ｖ）。
【請求項１５】
請求項１４の装置（Ｖ）であって、
スタブ形状の穿孔部分（２７）に隣接する、吸入管（１１）の肩部（２８）は、最終的な穿孔状態において、担体（Ｔ）の孔（１７）に水平な位置にある部分（２９）に当接するように設定されることを特徴とする装置（Ｖ）。
【請求項１６】
請求項１の装置（Ｖ）であって、
穿孔切断フランクは、ブリスタパック（５）のキャビティ（１）の下端面の直ぐ上方まで延び、
突出ブレード（１４）は、ブリスタパック（５）のキャビティ（１）の下端面の直ぐ上方までは延びないことを特徴とする装置（Ｖ）。
【請求項１７】
請求項１の装置（Ｖ）であって、
折り畳み可能な吸入管（１１）を固定するための保持部を有することを特徴とする装置（Ｖ）。
【請求項１８】
請求項１ないし１７のいずれか１の装置（Ｖ）であって、
開いた吸入管（１１）を被覆するための、担体（Ｔ）の蓋（４）を有することを特徴とする装置（Ｖ）。
【請求項１９】
請求項１ないし１８のいずれか１の装置（Ｖ）であって、
蓋（４）は、狭小な側面端壁（４１）を用いて、ブリスタパック（２）を押し込んだ位置に固定することを特徴とする装置（Ｖ）。
【請求項２０】
請求項１の装置（Ｖ）であって、
ブリスタパック（２）を保持する担体（Ｔ）が保持部（８７）を備え、
担体（Ｔ）は、保持部（８７）内に挿入される軸方向スタンプ（８９）を有し、
担体（Ｔ）は、全体的に、ブリスタパック（２）とともに蓋の閉じたハウジング（９１）内に配置され、
畳み込まれた吸入管（１１）は、吸入管（１１）上に固定された取付部（９１’）を用いて、軸方向スタンプ（８９）の周りに回転させて、保持しやすい位置へ配置されることを特徴とする装置（Ｖ）。
【請求項２１】
請求項１ないし２０のいずれか１の装置（Ｖ）であって、
歯（６２）の列が、ハウジング（３）の各側壁から歯状ギャップ（５３）へ櫛状に突出し、
吸入管（１１）は、穿孔動作中、この歯状ギャップ（５３）にガイドされることを特徴とする装置（Ｖ）。
【請求項２２】
請求項２１の装置（Ｖ）であって、
吸入管の垂直方向の穿孔動作は、吸入管（１１）のリブ（５２）によりガイドされ、
リブ（５２）は、ハウジング（３）の歯状ギャップ（５３）内を移動し、
歯状ギャップ（５３）は、ブリスタパックのキャビティ（１）の間隔に応じて配置されることを特徴とする装置（Ｖ）。
【請求項２３】
請求項１ないし２２のいずれか１の装置（Ｖ）であって、
吸入管（１１）は、下方向の挿入位置においてラッチ（６４、６５）を有することを特徴とする装置（Ｖ）。
【請求項２４】
請求項１ないし２３のいずれか１の装置（Ｖ）であって、
吸入管（１１）は、舌部（２２）において折り曲げ可能としたことにより、横方向軸（５６）の周囲に回転可能であることを特徴とする装置（Ｖ）。
【請求項２５】
請求項１ないし２４のいずれか１の装置（Ｖ）であって、
対をなす舌部（２２）は、回転対称的に設計され、吸入管（１１）の肩部（２８）の開いた位置において支持されることを特徴とする装置（Ｖ）。
【請求項２６】
請求項１ないし２５のいずれか１の装置（Ｖ）であって、
ブリスタパック（２）のためのシート状担体（Ｔ）は、舌部が侵入するための個別の挿入スロット（８４、８５）を有することを特徴とする装置（Ｖ）。
【請求項２７】
請求項１ないし２６のいずれか１の装置（Ｖ）であって、
個別の挿入スロット（８４、８５）を有するブリスタパック（２）は、被覆フィルム（９）を有し、
被覆フィルム（９）は、担体（Ｔ）内のスロット（８３）と対応し、延長部（８１）が侵入するために、キャビティ（１）の側面に隣接することを特徴とする装置（Ｖ）。
【請求項２８】
請求項１ないし２７のいずれか１の装置（Ｖ）であって、
個別の挿入スロット（８４、８５）の長さは、舌状延長部（８２）の幅に等しいことを特徴とする装置（Ｖ）。
【請求項２９】
請求項１ないし２８のいずれか１の装置（Ｖ）であって、
担体（Ｔ）は、棒状に設計され、１つの側面表面（１６）上の吸入管通路穴（１７）の直線列を有し、
この孔（１７）は、ブリスタパックのキャビティ（１）と対応するように配置されることを特徴とする装置（Ｖ）。
【請求項３０】
請求項１ないし２９のいずれか１の装置（Ｖ）であって、
孔（１７）は、狭小な自由横断領域（１８）を介して一体に接続されることを特徴とする装置（Ｖ）。
【請求項３１】
請求項１ないし３０のいずれか１の装置（Ｖ）であって、
ブリスタパックのキャビティ（１）を形成するバーが、コア部（４９）として形成され、
バーの側面表面（５０）は、ブリスタパックの被覆ホイル（９）を有することを特徴とする装置（Ｖ）。
【請求項３２】
請求項１ないし３１のいずれか１の装置（Ｖ）であって、
ブリスタパックのバー（５）は、キャビティ（１）が内部面上に配置された多角形の断面形状を有し、
ブリスタパックのバー（５）は、担体（Ｔ）において複数位置に挿入することができ、
これらの位置は、長手方向の中心軸（ｘ−ｘ）の周囲に回転可能であることを特徴とする装置（Ｖ）。
【請求項３３】
請求項１ないし３２のいずれか１の装置（Ｖ）であって、
ブリスタパックのバー（５）を担体（Ｔ）へ長手方向に押し込むことができることを特徴とする装置（Ｖ）。
【請求項３４】
請求項１ないし３３のいずれか１の装置（Ｖ）であって、
ブリスタパックのバー（５）は、正方形断面を有し、４つの幅広側面の各々において、キャビティ列を有することを特徴とする装置（Ｖ）。
【請求項３５】
請求項１ないし３４のいずれか１の装置（Ｖ）であって、
折り畳まれたブリスタパックの中空バー（５）は、挿入ケージ（３４）により包囲され、
挿入ケージは、すべての端壁（３７）上のキャビティ（１）の位置に対応する開口部とともに形成されることを特徴とする装置（Ｖ）。
【請求項３６】
請求項１ないし３５のいずれか１の装置（Ｖ）であって、
担体は、ブリスタパックの中空バー（５）の内部横断領域（３１）内に穿孔するコアバー（３０）を有し、
吸入管（１１）に隣接するフランク（３２）は、少なくとも、キャビティの下端面（３３）のための支持ベースとして形成されることを特徴とする装置（Ｖ）。
【請求項３７】
請求項１ないし３６のいずれか１の装置（Ｖ）であって、
コアバー（３０）の４つのフランクすべてが、支持ベースとして形成されることを特徴とする装置（Ｖ）。
【請求項３８】
請求項１ないし３７のいずれか１の装置（Ｖ）であって、
ブリスタパックの中空バー（５）は、押し込んだ位置においてラッチすることを特徴とする装置（Ｖ）。
【請求項３９】
請求項１ないし３８のいずれか１の装置（Ｖ）であって、
すべての側面表面（５０）のキャビティ（１）は、各々、コア部（４９）の共通横断平面上に配置されていることを特徴とする装置（Ｖ）。
【請求項４０】
請求項１ないし３９のいずれか１の装置（Ｖ）であって、
吸入管（１１）は、ブリスタパックバー（５または４９）またはケージ（３４）の上に直立するように配置されることを特徴とする装置（Ｖ）。
【請求項４１】
請求項１ないし４０のいずれか１の装置（Ｖ）であって、
吸入管（１１）は、バー（５または４９）またはケージ（３４）が担体（Ｔ）内に押し込まれたとき、バー（５または４９）またはケージ（３４）の上に解除可能な接続において直立し、
この接続は、吸入管が担体（Ｔ）のガイドに搬送された際に、自動的に解除されることを特徴とする装置（Ｖ）。
【請求項４２】
請求項１ないし４１のいずれか１の装置（Ｖ）であって、
吸入管（１１）の平坦な側面は、スタッド（５４）を有し、
スタッド（５４）は、摩擦力を用いて固定されるように、バー（５）、コア部分（４９）、またはケージ（３４）の孔（５５）侵入することを特徴とする装置（Ｖ）。
【請求項４３】
請求項１ないし４２のいずれか１の装置（Ｖ）であって、
吸入管（１１）が担体（Ｔ）のガイドに搬送される際、歯の列からなる先導リフト突出部（６１）の上の勾配を用いて、吸入管の解除が効率よくなされることを特徴とする装置（Ｖ）。
【請求項４４】
請求項１ないし４３のいずれか１の装置（Ｖ）であって、
ラッチするために機能するケージ（３４）の端部表面に、使用の表象（４７）が設けてあることを特徴とする装置（Ｖ）。
【請求項４５】
請求項１ないし４４のいずれか１の装置（Ｖ）であって、
ケージ（３４）の端壁（４０）に
ことを特徴とする装置（Ｖ）。
【請求項４６】
請求項１ないし４５のいずれか１の装置（Ｖ）であって、
下側位置に折り畳み、押し込む動作において、キャップ状の蓋（４）を後方ハウジング端部の他の側面に配置された下方位置に配置できることを特徴とする装置（Ｖ）。
【請求項４７】
請求項１ないし４６のいずれか１の装置（Ｖ）であって、
蓋（４）は、アーム（６７）を有し、
アーム（６７）は、横断方向に突出し、上側ハウジング側面に沿って、屈折できるようにガイドされ、加えて、接続ロッド（７０）を用いて下側ハウジング側面とと接続されることを特徴とする装置（Ｖ）。
【請求項４８】
請求項１ないし４７のいずれか１の装置（Ｖ）であって、
接続ロッド（７０）の蓋側接続ポイント（７２）は、蓋（４）の長手方向のスロット（７３）内を移動できることを特徴とする装置（Ｖ）。
【請求項４９】
請求項４７または４８の装置（Ｖ）であって、
アーム（６７）は、対をなし、
各アーム（６７）は、ガイドスタッド（６８）を用いて、ハウジング（３）のガイドスロット（６９）内をハウジング（３）の先導端部に向かって移動できることを特徴とする装置（Ｖ）。
【請求項５０】
請求項１ないし４９のいずれか１の装置（Ｖ）であって、
ガイドスロット（６９）は、下方向に向いた領域（７５）内にある後方ハウジング端部まで続き、蓋（４）が移動するとき、蓋の上昇または下降動作が行われ、蓋リムの端部（４１’）が接触することなく、折り畳まれた吸入管（１１）全体を移動することを特徴とする装置（Ｖ）。
【請求項５１】
請求項１ないし５０のいずれか１の装置（Ｖ）であって、
ブリスタが下側面上に配置されたシート型の担体（Ｔ）を折り畳み蓋を用いて封止されたハウジングのベース部に導入することができ、
このとき、長手方向のリブ（Ｒ）の各々は、キャビティの２つの列の間に入り、
この長手方向のリブは、舌部（８２）の自由端部（８２’）のための挿入開口部（８３’）を有し、
挿入開口部は、担体（Ｔ）およびその頂点にあるブリスタ（２）の個々のスロット（８３）に対して対応することを特徴とする装置（Ｖ）。
【請求項５２】
請求項１ないし５１のいずれか１の装置（Ｖ）であって、
担体（Ｔ）は、角部の領域において、下側面にピンを有し、
このピンは、担体（Ｔ）上にブリスタ（２）を保持するために、ブリスタの孔（Ｌ）内に入ることを特徴とする装置（Ｖ）。
【発明の詳細な説明】
【０００１】
（技術分野）
本発明は、クレーム１ないし５３の包括的な概念に応じた、粉末含有キャビティを空にするための装置に関する。
【０００２】
この種のこれまで公開された解決手段においては（米国特許第２，５４９，３０３号）、ポット状凹部を有する固い下側部分の中に、このキャビティが設けられ、そのポットリム上に被覆ホイルが張られている。吸入管は、環状カラー部を用いて、その先導部に取り付けられ、このカラー部は、外側表面壁の上に蓋のように押すことができる。このリムに対して内に向かうように、上側部分に配置されているのは、先端が切断された円錐であって、吸入管が下方向に押されたとき、その先端にあるより細い先端切断円錐端面が、被膜ホイルを穿孔する。吸入によりキャビティを空にしている間、空気を流入させるために、通路状の断面領域が環状カラー部の包囲する壁の内側表面に残されている。この解決手段は、構造的にも操作上も不十分であった。すなわち、外側の包囲は、小さい空気入口の断面領域しか残さないので、常に、均一で、とりわけ完全にキャビティを空にすることはできない。また同様に、先導する断面領域のより小さい、先細った円錐の端面は、被覆ホイルを制御しながら開いて分離することができない。その結果、ぎこちなく折り畳まれた配置を有する被覆ホイルの一部により、外側へ吸入されるべき粉末を隠れた位置に残すことになる。これは、このような被覆ホイルの配置が、おそらく、先細った円錐の外側表面の上で吸入されるという事実による。吸入管が下側部分に対して回転可能であって、操作中に被覆ホイルが穿孔されてた後でさえ回転可能であるという事実は、吸入により空にするプロセスの再現性に対して悪影響を及ぼす。したがって、正確に投薬する必要のある薬品の分野において使用できない。さらに、カップ状キャビティを形成する下側部分は、処分可能な部品として考えられており、被覆ホイルが穿孔された後は廃棄される。これは、粉末薬剤を規則的に摂取する場合、保管することとは別に、相当のコスト高の要因となる。
【０００３】
先に上述の問題点を回避するための解決手段が、すでにドイツ公開特許（ＯＳ）第１９６１９５３６に開示されている。この公開特許において、担体には、複数のキャビティを有する標準的なブリスタパックが実装される。各キャビティは、適量の粉末を含有している。これによれば、新しいブリスタパックを実装することにより、担体を再利用できるという利点だけでなく、複数のキャビティが常に供給され、さらに薬品を投与するとき、患者は、すでに穿孔された被覆ホイル、および未使用のキャビティに関して所定の検査を行えるという利点がある。これに関して、担体は、独立した孔を有するカバープレートを有する。この孔は、ブリスタのキャビティと位置合わせされている。吸入管は、まずカバープレートに配置された後、さらなる挿入動作により、吸入位置へ適正に移動する。この装置において、フランクが吸入管に取り付けられる。フランクは、その先導端部において切断し、キャビティの各被覆ホイルを特別の手法で確実に分離する。この分離を用いると、吸入により空にすることを最適化する。キャビティを吸入により空にする際、キャビティ内に空気を流すための必要な空気の入口断面領域は、この場合、吸入管の軸方向の管状通路として設計されている。吸入管の先導マウスの横断領域は、被覆ホイルが穿孔された後、キャビティ上に露出する。
【０００４】
これらの解決手段は、それぞれ、初めに吸入管を担体の孔に配置する際に、自由に突出するブレードが非常に損傷を受け易いという点において問題点を有する。被覆ホイルを穿孔する際に、ブレードをすべての損傷から保護するためには、ブレードが被覆ホイルに接触する前に、吸入管をすでに孔に対して長手方向にガイドされている必要がある。担体のこの挿入孔の軸方向に相当の長さを必要とすることから、ブリスタパックホイルを担体の上側部分の非常に離れた下方に配置して、所定のキャビティが吸入されて空になっているかどうかについて確認するのに、困難を伴うことがしばしばである。先に公開された解決手段を用いるとき、吸入管の端部が非円形に形成された場合、担体の孔が円形でないため、円形でない部分を互いに接合するので、確かに、吸入管が回転するのを防止することができる。これに関して、吸入管が回転すると、ブレードが切断される被覆ホイルの中で損傷することになる。吸入管の管状通路として空気入口の断面領域を形成する点において、この解決手段はよりいっそう複雑となる。吸入管のすべての側面からキャビティ内に空気をできるだけ均一にして、キャビティのすべての領域全体に対してできるだけ均等に処理することが、実現することができない。
【０００５】
本発明の目的は、より安価に製造され、かつより信頼性高く操作できるような汎用的な装置を形成することにある。
【０００６】
この目的は、請求項１の場合、ブレードのための入口孔から離れたところにある担体のスロットに吸入管を配置するか、請求項５３の解決手段の場合、担体の孔のリムにスリーブを配置して、スリーブが挿入動作時に吸入管をガイドすることにより実現される。このとき、両方の場合において、離れた配置手段は、使用していない場合であっても、切断フランクを損傷から保護するものであって、切断フランクは、被覆ホイルを介して切断し、個々の切断された被覆ホイル部分を折り曲げる上で好都合なように最適な条件で取り付けられる。
【０００７】
その結果として、この装置を集中的に制御できるという利点がある。担体のカバーは孔を有し、その下方に配置されたブリスタは非常に薄い。しかし、ブレードが孔に入る前に、吸入管を配置するには十分である。ブリスタ被覆ホイルは、孔の軸方向の長さがより短いので、より視認しやすい。これにより、とりわけ年配の人たちにとって、信頼性よく操作できる。スロット内に入る平坦な延長部を用いる場合、延長部を最初に挿入した瞬間から回転しないように、吸入管を固定することができる。スリーブを用いた場合、吸入管とスリーブの間が回転しないように固定し、円形でない穴のリムにスリーブを配置することにより、同様のことが実現される。保護されながら後退するように配置された切断フランクは、同様に、担体の孔に対して設計することがでるので、キャビティに対する最適な空気入口の断面領域を自由のままにしておくことができる。というのも、吸入管のこの切断領域は、吸入管を配置しガイドすること以外は何もしないからである。これにより、すべての側面から空気を自由に流すことにより、キャビティを常に均一に空にするだけでなく、例えば、公開特許第１９６１９５３６号で先に開示された解決手段の空気入口通路において生じたように、吸入管を反復して利用した後、粉末の残渣が吸入管内に蓄積されないようにすることができる。吸入管の長手方向のガイドまたは配置に関して、好適にも、吸入管が、孔のいずれか一方側に配置された担体のスロット内にガイドされるが分かった。台車のような移動性能の形式が存在する。
【０００８】
穿孔フランクは、平坦で突出した延長部として設計される場合、穿孔フランクは、切断エッジおよび突入ブレードが良好に保護される。加えて、穿孔フランクは、確実に、大きな空気入口の断面領域が残るようにする。さらに、使用していない場合であっても、吸入管を担体に取り外しできるように取り付け、正確に取り付けられることに関して、穿孔フランクは進歩的な可能性を引き出す。孔に対して吸入管を配置し、挿入する際に、ガイド舌部として機能する舌部は、ブリスタパックの担体に対して舌部をピボット回転するように取り付けるため、都合のよい形状を実現可能とすることができる。これは、例えば、スロットの下方に配置された吸入管の配置自由空間へ降下するように、孔を覆う位置へガイドしながら移動させるためにも利用することができる。吸入管の穿孔フランクと、次の正確な吸入位置に至る中間通路上にある担体の部分との間において、接触が生じないように、対応するスロット付きリンクを配置する。こうして、切断エッジの穿孔する、または動的な貫通フランクは、常に保護される。好適にも、配置自由空間は、スロットから延びた挿入通路として設計される。ガイド舌部の各々は、挿入通路に挿入される突出部を有する。この挿入動作の最終位置は、最終的な穿孔位置である。さらに、吸入管が孔内を移動する突入部分を有するように構成され、突入部分は、穿孔フランクに関して後退して配置されており、突出部が挿入通路に入るとき、吸入管を直線的にガイドしやすくするようにする。これに関して、好適にも、穿孔位置において、突入部分に隣接する吸入管の表面は、担体の側面の領域上に配置されている。これにより、穿孔位置が傾斜しないようにすることができる。さらに、折り畳み可能な吸入管をカバーする担体の蓋によって、この装置は特徴付けられる。
【０００９】
ブリスタまたは担体の上に吸入管を配置することにより、吸入管をあまりにも長く用いないという利点を有する。ブリスタパック内のスロットを用いて、スロット内の吸入管の延長部は突入し、ブリスタは使用に際して個別化される。
【００１０】
構成の小さい装置を実現することができる。好適にも、吸入管が２つの平面において連続的に移動するように、吸入管と担体の間においてガイドされる。この構成により、とりわけ、孔に対して横方向に、穿孔平面において２重に配置される。折り畳み可能で、かつ直線的の両方の２つの平面の一方において、吸入管が移動できる場合、吸入管のための小型で未使用状態の配置が同時に実現される。
【００１１】
ブリスタパック側において、好適な設計が、この点において、実現可能である。例えば、ブリスタパックが多角形の断面形状を有するように折り畳まれ、その内側表面にキャビティが配置され、ブリスタパックが長手方向軸の周りに回転したときの複数の位置において、担体内に押し込むことができる点が好適である。こうしたバー形状は嵩高くない。折り畳むことにより、キャビティを内部空間に収容することは、どんな場合でも利用できる。一致するように位置合わせして、キャビティを引き続いて隣接して接触するように延長すして、相互に支持することができる。この点に関して、好適にも、ブリスタパックのバーを、担体内において長手方向に押し込むことができる。これは、長手方向のガイドに関するアイデアの論理的な利用に帰着する。ブリスタパックバーの空間的に好適な断面形態は、正方形断面形状を有し、４つの幅広側面の各々の上にあるキャビティ列を有することからなる。ブリスタパックバーは、折り畳んだことだけにより所定の固さを有するか、あるいは形状の実体を有するが、これらの特性は、挿入ケージ内にブリスタパックを包囲することにより、増大させることができる。このとき、挿入ケージは、キャビティの位置と合致する開口部をすべての側壁上に形成する。その後、担体がそれに取り付けられる。例えば、１週間分の薬剤投薬量として幅広側面には７つのキャビティが存在する。キャビティの壁の裏面が連続的に接触している場合、好適な手段において、担体は中央バーを有する。中央バーは、ブリスタパックの中空バーの内部断面領域に突入する。吸入管に隣接する中央バーの少なくともフランクは、キャビティの下側面のための支持ベースとして設計される。しかしながら、好適には、中央バーの４つすべてのフランクが支持ベースとして形成されるように、中央バーを設計する。こうして、同時に、内部ガイドを形成する。担体を装填して、取り外す際に、ブリスタパックの中空バーを包囲する挿入ケージから中空バーが滑べらないようにするために、ブリスタパックの中空バーは、ケージ内において挿入制限位置でラッチするように構成されている。これは、対応する凹部内にラッチする単純なラッチニップルを含んでいてもよい。同時に、挿入ケージの（閉じた）端面が使用の指標を用いて形成されると、さらに好適である。長手方向の延長部またはバー形状の原則を維持しながら、担体を同様に形成することができる。この実現によれば、担体は、バー状の設計を有し、１つの側面表面上に吸入管通路孔の直線列を有する。吸入管通路孔は、ブリスタパックのキャビティに対して対応するように配置される。この孔は、狭小で、自由断面領域により一体に接続される。担体側の中央バーの代わりに、プリズム状のブリスタパックの適当な固さがブリスタパックから進む。これは、コア部としてブリスタパックのキャビティを成形する（固い）バーにより実現される。このとき、ブリスタパックの側面表面は、ブリスタパックの被覆ホイルを有する。このように、固いマガジンができる。マガジンは、（ガラス容器に保管するのに適した）所定の薬剤粉末に関する保管条件に適合させるためには、ガラス製であることが好ましい。同様に、セラミックおよび固いプラスチックなどの他の材料が考えられる。回転させることによる利点を享受するためにも、ベースとして、上述の事情が用いられる。これに関連して、側面表面すべてのキャビティがコア部の共通横断平面の上に配置されている。バーは、吸入管のためのガイド手段を具現化するため、吸入管とバーは、同様に、一体型のユニットとなる。（空の）ブリスタが交換されて、吸入管も交換されるので、例えば、残渣などにより、臨床的に安全でなくなった場合、１つの同じ吸入管をあまりにも長い期間、使用しないようにすることができる。一体型ユニットの１つの形態は、吸入管が、好適にも、バーまたはケージの上に「ピギーバック式」にスタッド／プラグ接続で載置され、ロッドが担体内に押し込まれたとき、好適には、スタッド／孔のプラグ接続を自動的に外すことにより、担体のガイド／ガイド溝に搬送されるようにした接続を含む。このような状況において、例えば、回転させた後、再装填するために、バーを担体から引っ張り出した後でさえ、吸入管は、担体の上にそのままあり、吸入管を挿入スタンバイ位置に折り畳むことができる。キャビティが充填された新しいバーを使用するために押し込む場合、先のバーの吸入管を、処分するために担体内のガイドから引っ張り出した場合にのみ、担体内に押し込むことができる。クレームに従えば、吸入管は、バーまたはケージの上に、取り外しできるように接続して実装され、バーまたはケージが担体内に押し込まれたとき、担体内のガイドに吸入管が搬送されて、自動的に取り外される。これに関連して、吸入管の一方の平坦な側面は、スタッドを有し、このスタッドは、バー、コア部またはケージの孔に対して、摩擦力により固定されるように入る。吸入管が騎乗位置から意図的にのみ移動できるように、摩擦力を調整することができる。とりわけ、吸入管が担体のガイドに搬送されたとき、吸入管の取り外しが、歯列上の勾配を有する導入リフト突出部により実現されるように好適な手段を設けることが好ましい。その重要性について、以下説明する。吸入管を小型に構成するためには、キャビティ列を横断するとき、この点に関して、ガイド舌部上において、吸入管を屈伸できるような構成とした結果、吸入管を横方向軸の周りに回転できるように接続すると都合がよい。適当に屈伸させることにより、吸入管を対向する方向に折り畳むことができる。これに関連して、対をなす舌部は、同時に、回転対称的に設計されており、吸入管の肩部上において吸入管を広げた状態で支持する。吸入管および舌部は、固いユニットを形成する。ケージの端壁が、その回転可能な角度に応じて配置される独創的な封止ブリッジを用いると、使用に際して都合よく設計することができる。このとき、蓋に隣接して配置される独創的な封止ブリッジを、蓋が閉じようとしている間に、蓋のラグにより壊すことができる。こうして、ユーザは、キャビティ列がまだ残っていることを読み取ることができる。こうした独創的な封止ブリッジは、対照的な色を有していてもよく、その結果、欠乏していることが特に際立つ。この装置を明確に操作するためのさらなる手段が具現化され、このとき、キャップ状の蓋を、後方ハウジング端部の他の側面上に配置される下方位置へ折り畳み、押し込むように移動させることができる。蓋が、このようにして、取り外し領域から消滅するとともに、視界から隠れない。この点に関して、蓋が横方向に突出したアームを有するように技術的手段を設けてもよい。このとき、突出アームは、上側のハウジング側面に沿って屈伸でき、置換できるようにガイドされ、加えて、接続ロッドを用いて、下側ハウジング側面に接続される。これに関して、接続ロッドの蓋側の接続ポイントの代わりに、蓋に設けた長手方向のスリットで置換できる。この点に関して、対をなすようにアームを設計し、各アームは、ハウジング内のガイドスロット内のガイドスタッドを用いて、ハウジングの先導端に向かって移動できるようにすることを、本発明は提案する。開いた状態の吸入管のシルエットに留意して、さらなる処理が行われ、後方ハウジング端部におけるガイドスロットが下方向の領域に向いて延び、蓋が開いたとき、下方向の領域により、蓋の上昇または下降動作が実行され、このとき、リムエッジは、接触することなく吸入管の上方において搬送される。歯列または歯のキャップの重要性を考えると、好適な改良点は、ハウジングの各側壁上に突出する櫛状の歯列により特徴付けられる。吸入管は、穿孔している間に、歯のギャップにおいてガイドされる。最終的には、吸入管は、下側方向に挿入された位置においてラッチされることが好ましい。
【００１２】
さらに、ブリスタパックを収容する担体は、実装部において延びる。ラッチされない軸方向スタンプが実装部に入り、ブリスタパックを用いて全体として、蓋の閉じたハウジング内に導入できる。このとき、吸入管の上でラッチする実装部が吸入管を畳み込み、軸方向のスタンプの周りの保持できる位置に回転できる。吸入管を、ラッチしながら克服することができる。この場合、都合よく、ハウジングは畳み込まれる。上述の実装部は、蓋の内側に形成することができる。担体（およびこれに付属するブリスタ）が挿入され、押し込まれたとき、折り畳み箱の下側部分のベース上の長手方向のリブは、２列のキャビティの間を通過する。担体およびブリスタ内の挿入スロットは、長手方向のリブの頂点において、担体およびブリスタの個々のスロットに対応するように、舌部の支持されない端部に設けられる。
【００１３】
そこで本発明は、ブリスタパックの被覆フィルムが、担体内にあって、キャビティに水平方向に隣接する個々のスロットに対応するような、延長部のための挿入スロットを有することを提案する。
【００１４】
配置することを支援し、ブレードを保護する別の形式が実現されて、このとき、延長部は、吸入管の挿入端部上を長手方向に滑らかに移動するスリーブとして設計される。管状本体部は、露出した穿孔フランクを包括的に保護する。他方、穿孔位置において、スリーブは押し戻されるので、キャビティ内への空気の入口を邪魔しない。スリーブが前方に押し込まれて、穿孔フランクを超えて突出する位置と、押し戻されて穿孔フランクを露出する位置の両方において、スリーブがラッチされることが好ましい。この露出位置を、把持可能な、あるいは保持可能な露出という文脈で理解すべきではない。むしろ逆に、押し戻される露出位置は、穿孔機能位置であり、そのため穿孔フランクの切断エッジは、キャビティの保護空間である。２つのラッチ位置は、吸入管の孔に対する挿入動作および引き出し動作中に、自動的に侵入される。したがって、最終的には、吸入管が作動するように取り付けられたことに起因して、スリーブが自動的に移動する。この点に関して、担体は、いわゆる対向支持部として用いられ、これは、簡便な手段を用いて構造的に具現化され、担体内の吸入管通路孔のリムと協働することにより、自動的な侵入が生じる。改良点として、スリーブは、支持されない端部において、担体の孔リム端部と協働する外側リングを有し、反対側の端部において、吸入管のラッチ段差部と協働する内側リングを有する。スリーブの適当なラッチ性能は簡便な手段で実現され、このとき、長手方向に向いたスロットにより、スリーブが半径方向に弾性を有するように設計される。これに関連して、スリーブの端部から延びる２つのスロットの対は、中央の周辺ブリッジに至るまで互いに向かう。これにより、いわゆる、残された周辺ブリッジにより形成された折り畳み軸に関して、２つアームと２つの爪が形成される。これに加えて、周辺ブリッジは、スリーブ壁に設けたスロットにより中断されて、このスロットは、周辺において、ずれるように配置される。スリーブの開口部を解除するために、外部リングは、押し込み動作のための導入勾配を形成する。スリーブの侵入端部は、締め付けられるように力が加えられる。本発明の特徴は、外側リングの内向きの力が、２つのアーム構成により、先導勾配を用いてスリーブの内側リングに外向きの力を与えることにある。これは、スリーブの材料の復元力に対抗して生じるものである。吸入管が担体から離れるとき、スリーブを穿孔フランクに対して保護位置へ後退させるためには、外側リングが、挿入制限位置への挿入動作に対して克服可能なようにラッチされることを、本発明は提案する。本発明のさらなる好適な特徴は、周辺ブリッジを中断する１つまたはそれ以上のスロットが、同時に、追加的に吸入される空気の流れのための通路断面領域である点にある。このとき、空気は、側面から吸入管の主要吸入通路へ、担体の上方を流れる。
【００１５】
（発明を実施するための最良の形態）
本発明の主題につき、複数の例示的な実施形態を参照して、以下説明される。
【００１６】
吸入により、ブリスタパック２の粉末含有キャビティ１を空にするための装置Ｖはハウジング３を有している。この装置は、蓋を用いて閉じられるようにしていてもよい。例示的な第１の実施形態において、蓋は符号４で記されている。
【００１７】
第１および第２の実施形態において、ハウジング３は細長い担体Ｔを有している。この担体は、バー（棒）状に設計され、長手方向において刳り抜かれている。バーの長さは、バーの幅のおよそ３倍ないし６倍に対応する。好適には、刳り抜かれた中空部分は、少なくとも、正方形断面を有している。
【００１８】
担体Ｔは、一方の端面から装填可能なようにアクセスできる。他方の端面は閉じている。装填部材は、刳り抜かれた中空部分の断面に適合するブリスタパック２である。したがって、この場合、ブリスタパックは棒状である。（図１３および１４を参照されたい。）
【００１９】
カード状の上面図から分かるように、ブリスタパック２を折り曲げて、中空バー５を形成する。ブリスタパック２を長手方向に対して横断するように、とりわけ長手方向の中心軸ｘ−ｘの周りにおいて折り曲げる。図１２から分かるように、同一面積を有する４つの長手方向ストリップが、折り曲げ線６により形成されている。その結果、この場合、正方形断面を有する多角形状が形成される。
【００２０】
外形が箱型となるように折り曲げる方向を選択すると、キャビティ１がブリスタパックのバー５の内側方向に向く。
【００２１】
図示されたキャビティ１は、薄いアルミニウム／プラスチックの合成ホイル８内に設けたカップ状の凹部７である。
【００２２】
この装置の目的に適うように、キャビティ１からなる１本の直線列が、長手方向に形成されたストリップからなる４つの幅広の側面上の各々に存在するように配慮されている。とりわけ、７つのキャビティが長手方向に等間隔で配置されている。長手方向のストリップすべてにおいて、その周期性は等しい。
【００２３】
キャビティ１は、穿孔可能な被膜ホイル９を用いて封止されている。斑点模様で示すように、含有粉末が符号１０で示されている。この含有粉末は、空間的に、キャビティ１のほんの一部の容積を占めている。
【００２４】
とりわけ、図を参照すると、ブリスタパックの中空バー５は、装置Ｖの左側から担体Ｔの長手方向へ前進するように押される。ブリスタパックの中空バー５の正方形断面図において、中空バー５は、吸入により適切に空にする毎に、長手方向中心軸ｘ−ｘの周りを９０°だけ回転させることができる。また、中空バー５は、４週間分の用量を確保する。
【００２５】
粉末含有キャビティ１を吸入して、薬剤を残さず空にするために、吸入管１１が用いられる。キャビティ１に隣接する導入端部が被覆ホイル９を穿孔するように、吸入管１１は設計される。そのため、吸入管１１は、中央に配置されたブレード型のフランクの形態を有する切断エッジ１２を備える。切断エッジ１２は、湾曲したブレード形状を有するように設計され、キャビティ１の被覆ホイル９の支持されない伸張部分９’を穿孔する。吸入管の詳細な外形形状に関し、中央に配置されたフランクは、吸入管１１の平坦化された端面１３を超えて突出する湾曲部分を含み、互いに先導部の尖った屋根のように配置された切断エッジを有するように設計されている。この先導部は、中央に配置されている。
【００２６】
半径方向に（水平方向に）隣接するフランクは、突出ブレード１４として、中央に配置された切断端面を形成するフランクに取り付けられている。この突出ブレードは、随意に切断される被覆ホイルの表面部分を押し破る。突出ブレードは、切断エッジ１２よりも多少短く、支持されない伸張部分９’の切断されたギャップを拡張する。さらなる詳細については、未公開ドイツ特許出願第１９７５７２０７．３号に開示されている。このドイツ特許出願の開示内容は、本出願のクレームにこれを含めるためにも、すべてここに包含される。
【００２７】
図示された長手方向に延びるガイド１５を用いて、好適にも、吸入管１１を担体Ｔの上に取り付けることができる。このガイドは、輸送台のように、吸入管１１を直線的に移動させるために設計されたものである。このため、バー状の担体Ｔは、側面表面１６の上からアクセスできるような貫通孔（perforation）を有する。この貫通孔は、吸入管の通路孔１７の直線列として形成される。これらの孔１７は、その下方に延びるブリスタパックのキャビティと一致している。これらの孔１７は、一部分が細くなったくびれを介して接続され、波状のフランクを含む長手方向の孔の形態を有する。２つの孔１７の間にある狭くなった各横断部分は、符号１８で記されている。
【００２８】
吸入管１１のために軌道を与える長手方向ガイド１５は、担体Ｔのスロット１９を有し、孔１７の列のいずれか１つの側面上に配置される。スロット１９は、孔１７のリム（rim）に対して、できるだけ接近して、かつこれと平行に延びている。あるいは、スロット１９は、孔が１列しかない場合、側面表面１６のリムの付近に延びている。このようにすることで、吸入管１１を傾斜させることなく、うまくガイドすることができる。平行に位置合わせされたスロット１９は、装填開口部２０の領域において閉じており、アセンブリのために他方の端面の領域において開いている。ただし、開いたスロットにおいて、スロットを多少狭くするラッチ突出部２１を乗り越える必要があるので、この開いた領域は、通常では係止部（stop）として感ぜられるとともに、適度な力により作動する。
【００２９】
スロット１９内を移動する舌部２２の形態を有する延長部は、吸入管１１のガイドされる部分である。この延長部は、ひれのような形状を有しており、両側に形成されたスロット１９において、吸入管１１に配置されている。ガイド舌部２２は、平行に延び、スロット１９内に比較的に深く突出する。ガイド舌部は、切断エッジおよび突出ブレード１４と所定距離をおいて隣接しており、突出ブレードおよび切断エッジを超えて、軸方向前方に突出している。
【００３０】
担体Ｔの隣接する２つの側面表面の壁において、長手方向の溝２３がスロット１９の下方に延びている。図９を参照されたい。
【００３１】
外側方向に向いた突出部２４は、舌部２２の支持されない端部上に形成され、長手方向の溝２３内を滑動する。この突出部は、担体Ｔ上に捕獲するように吸入管１１をガイドし、保持する。
【００３２】
この突出部２４は、空間的に配置されるため、吸入管１１が孔１７の上方に正確に位置合わせされるように、支持された位置に引き起こされる。ブリスタパックの中空バー５の方向に対する吸入管１１の変位動作は、同時に穿孔動作でもある。キャビティ１の方向に進む穿孔動作を実現するために、配置自由空間２５がスロット１９の下方に形成されている。この配置自由空間２５が、挿入通路として、溝２３から担体Ｔの下側壁で形成されるベース２６の方に向かって延びている。図９は、吸入管１１の位置合わせを示す図であって、この位置合わせにより、穿孔位置が再現される。これは中央位置である。２つの穿孔位置の間にある中間通路上において、切断エッジ１１は、湾曲ブレードに対する穿孔側面上に延びる吸入管１１の穿孔断面２７のための垂直ガイド以外、担体Ｔまたはブリスタパックの中空バー５の一部分に接触しないように、対応する溝による接続ガイドが形成されている。この垂直ガイドは、穿孔に適しており、形状が一定で、回転できないようになっている。
【００３３】
互いに直角に配置された２つの平面において、吸入管１１が連続的に移動できるようにしたとき、吸入管１１および担体Ｔの間でガイドされることにより、すべてがうまく実現される。上述の平面とは、次のキャビティへジャンプして配置するための水平方向の平面Ｅ１と、最終的な状態においてキャビティ１を開くための隣接する垂直方向の平面Ｅ２である。これらの平面Ｅ１およびＥ２は、双方向矢印で示されている。これらの平面は、突出部２４および溝２３の間に対応する軌跡と、挿入通路を実現している。
【００３４】
切断エッジおよび突出ブレードは、使用していない場合、退避状態に配置されており、以下説明するように、例えば、吸入管１１の折り畳んだ位置に配置されている。これに関して、吸入管を折り畳むことができ、しかも吸入管を直線的に配置して、ガイドできるように、２つの平面Ｅ１およびＥ２の一方において、好適な形状が実現される。吸入管１１を押して、平面Ｅ１の腹部上の載せることができる。この場合、折り曲げ弧状平面は、図９においてＥ３として表記されている。
【００３５】
突出部２４が挿入通路（つまり配置ギャップ２５）に侵入し、ベースに向かってガイドされながら、その中をスライドする際に、吸入管１１の直線的にガイドしやすくするために、孔１７に侵入する穿孔断面２７は設計または取り付けられる。ただし、吸入管１１を傾ける間、端部領域が突出部２４のためのスイッチ領域として機能するので、それらは、スロット端面の領域において接触することはない。
【００３６】
これに対して、垂直方向に直立する位置を確保する着座位置が優先する。このため、ガイド舌部２２のベース領域が、肩部２８に付与されている。これは、吸入管１１のスタブ状の穿孔断面２７の側部に対して延びている。それらは、図７に示された吸入管１１の鉛直長手方向軸ｙ−ｙに対して垂直方向に延びている。肩部２８を形成する表面は、穿孔位置（図８）において、対応する側面１６の領域２９上に平面と平行となるように下側に配置されており、担体Ｔの孔１７の両側に配置されている。これが図８で示されている。
【００３７】
担体Ｔは、中心バー３０を包含している。中心バー３０は、装置Ｖの右手方向の端壁において、内側にルート部を有する。中心バー３０は、担体Ｔの全体の長さに亙って、突出して支持されないように延びている。これは、中に押しこまれたとき、ブリスタパックの中空バー１５の外形を適合する内部断面領域３１（図１４参照のこと）を突き破る。
【００３８】
吸入管１１に隣接する少なくとも１つのフランク３２が、その位置において、キャビティ下面３３のための支持ベースとして機能する。好適には、支持ベースの形成に際して、中心バー３０の４つすべてのフランクが、等角度でずれて成形されている。これは、凹部７のドーム状外形のシルエットと合致するように設計された長手方向の縦溝を有している。これは、回転的に対称的な形状に基づくものである。
【００３９】
ブリスタパックのバー５の折り畳んだときの形状が閉じていない場合、シースで覆うことができる。概略図によれば、これは、ケージ３４を取り付けることで実現される。ケージ３４は、正方形断面を有する挿入ポケットとして形成される。摩擦力を用いて固定して、２つの部品５および３４を取り付けることが考えられるが、本発明は、ラッチングを提供することにより実現する。ブリスタパックの中空バー５の挿入限界位置において、ブリスタパックの中空バー５とケージ３４の間の対応するラッチングが実現される。
【００４０】
ラッチング手段は、ブリスタパックの中空バー５内に一致して配置された凹部または穿孔３６にラッチする雄型成形物上のニップルであってもよい。ケージ３４の用途に依存して、つまり、ケージ３４が処分可能か、永続的に使用される部品として設けられているかによって、反転可能な、または反転不可能なラッチング３５／３６を用いてもよい。ユーザがブリスタパック２を中空バーを移動できるような基本的技術設計は、ケージ３４を永続的に使用する上で好適である。この場合、カード状ブリスタパック２は、空間的に節約して保管されるように供給することができる。
【００４１】
挿入ケージ３４の４つのすべての側壁３７は、開口部３８とこれらを接続する自由横断部３９を有する。担体Ｔに関して、詳細に説明されたように、細長い孔の外形が存在する。このマスクは同一である。つまり、穿孔断面２７の切断エッジは、一致して配置された細長い孔を介して、下方にある妨げられないキャビティ１と接触して、これに達する。というのも、開口部３８と横断部３９が、面積の観点から、孔１７と横断部１８に対応するためである。突出ブレード１４は、横断部３９よりも多少狭くなっている。
【００４２】
挿入ケージがある場合、またはない場合において、穿孔切断フランク、つまり切断エッジ１２は、摩損から切断エッジを保護するために、キャビティ１のベースを形成する内壁、または支持ベース表面の下面、すなわち挿入ケージ３４の中心バー３０のフランク３２のちょうど上方で終わっている。
【００４３】
挿入ケージ３４は、端面壁４０付近の左手方向の側面上において閉じている。内壁４０は、ラッチング装置３５／３６がない場合、内側にある中空バー５に対する挿入制限係止部を形成する。
【００４４】
上述の端壁４０は、すべての側面において、ケージ３４のロッド状のシース部の断面部を超えて突出しているので、外側にある挿入係止部を用いて、担体Ｔの装填開口部２０の部分を形成することができる。
【００４５】
しかし、端壁４０は、さらに多くの機能を有している。すなわち、上述の周辺にある張りだしは、障壁を形成し、蓋側において、装置Ｖの蓋４が覆うように接触している。覆うように接触する蓋４の端壁は、符号４１で記されている。使用していない場合、ユニット５／３４を担体Ｔから滑り落ちないように固定する。
【００４６】
装置Ｖが閉じた状態にあるとき、折り畳まれた吸入管１１が担体Ｔの上側側面１６上にあるとき、蓋により覆われている。この位置において、突出部２４は、長手方向の溝２３内に配置されている。
【００４７】
蓋４は、断面中心において配置される頂点に関し、極端に凸状の弧状表面を有している。この領域は、吸入管１１の空間を節約する折り畳み位置に対して最も都合がよい。
【００４８】
図６から分かるように、マウスピース開口部４２の口に適した平坦な壁は、横断領域において、楕円壁を形成する。楕円長径軸は、担体Ｔの長手方向軸に延びている。このため、装置Ｖをハーモニカのように手中に保持して、快適に吸入動作を行うことができるように、口に適した状態とすることができる。
【００４９】
粉末含有キャビティ１を吸入により空にするためには、追加的な空気吸入の流れＺの支援を受けて実現され、この空気吸入の流れは、粉末１０を引き込み、吸入管１１にある水平方向の通風孔４３を介して入ってくる。通風孔４３は、概略、対向する位置において延び、吸入管１１の主要通路４４に対して、内部の流れを形成する。通風孔４３を側面表面１６に対して非常に近くに配置し、十分な周辺領域において外部凹部を形成した結果、使用中、把持する手の指または唇の一部により、水平方向の通気孔４３を閉じた状態に保持することはあり得ない。偶然にも、追加的な空気が、その流入量を極めて大量に維持するために、穿孔断面２７の全体周囲４５を介して侵入する。なお、吸入管１１の把持性能を増大させるためには、外側表面、つまり環状リブの上を粗面化する。うねを形成する部分を符号４６で記す。
【００５０】
基本的に正方形であるケージ３４の端壁４０の見える側面は、符号４７を用いて示される。これらは数字１ないし４である。これらから、数字が増加する配置順序を用いると仮定した場合、ユーザは、どのキャビティ列に収容物を含んでいるかを読み取ることができる。
【００５１】
上記端壁４０は、中央に配置された正方形のプラトー（plateau）４８を有していることが分かる。この露出したプラトー４８は、この正方形に対して平行に配置された側壁を用いて、ハウジング３の方向に向いた蓋４の端壁４１のリムと相互作用する。これは、一種の鍵となる役割を果たす。この「鍵」は、各々の場合において、意図した薬剤またはマガジンだけを用いるように、変化させることができる。
【００５２】
上述の要件は、図１８ないし図２１で示された固いマガジンに対しても当てはまる。このマガジンは、上述のケージ３４を取り付けなくても、本質的に固い。コア部分４９として、ブリスタパックのキャビティ１を形成するバーを用いて適当に固くすることができる。コア部分は、正方形の断面を有する。固いマガジンを形成するコア部分４９は、上述のように、回転させることができる。作動に適した、装置Ｖの担体Ｔ内へ挿入する断面に関しても同様に当てはまる。
【００５３】
バー状のコア部分４９の側面５０は、通常の被覆ホイル９を用いて被覆される。これは、接着剤で接着することにより実現される。参照番号は同様に用いられる。
【００５４】
図２１が図示するように、ブリスタパックのキャビティ１の各々は、コア部分４９の共通横断面の上に配置されている。これは、キャビティの列全体に当てはまる。
【００５５】
コア部分４９は、ガラスで形成されている。セラミックまたは高結晶性プラスチックから製造することも同様に考えられる。
【００５６】
図２２で示す変形された解決手法において、吸入管１１は、コア部分４９と同様、固く形成することのできるブリスタパックのバー５の上に設置されている。このため、吸入管１１の１つの平坦な側面は２つのスタッドを有し、このスタッドが、摩擦力で固定されるように、バー内の孔に侵入する。バーが担体内に押し込まれた場合、ガイド突出部Ｆが担体Ｔの内壁上に設けた溝内に捕獲されると同時に、吸入管は、リブ５２のべベル５１の上に立てられる。その結果、吸入管は、例えば、スタブ／孔の接続が分離するのに伴って、持ち上げられる。吸入管は、担体Ｔの上にガイドされ、ホイル部分を穿孔するためのスタンバイ位置に到達するように回転できる。吸入管１１の水平方向のリブ５２は、下降（穿孔）している間、担体Ｔの歯状ギャップ５３内にガイドされる。
【００５７】
この装置Ｖの改良点は、第２の例示的な実施形態による変形された解決手法に基づいた改良点であって、図２３から始めて以下詳細に説明する。これに関して、参照番号につき、そこで付与したものと類似のものが適用される。それは、文脈において反復することなく何度か適用される。
【００５８】
吸入管１１と、バー５、より正確にはケージ３４との間の接続手段は、図２７ないし図３０から見て明らかである。吸入管１１の１つの平坦な側面において、垂直方向に突出するスタッドは、参照符号５４で記されている。吸入管は、上側側面上に横たわっているとき、中空部分または孔５５が対応するように、ケージ３４内に挿入される。特に必要な場合は、克服可能な摩擦力により固定されている。
【００５９】
バーを取り付けたケージ３４は、吸入管１１を担体Ｔへ搬送するための手段を有していてもよい。
【００６０】
ここでまた、この改良によるガイド舌部２２は、吸入管１１に対して屈伸できるように取り付けられるが、吸入管１１の隣接する２つの平坦な側面から延びる。これらの側面は、空間的に平行に配置されている。対応する横軸は、符号５６で記されている。平面に関して、対称的に設計された吸入管の横方向の中心平面に配置されている。
【００６１】
舌部２２は、回転対称（点対称）に設計されており、吸入管１１の上方において横軸５６の周りに畳み込むことができる。その結果、吸入管は、マウスピースの開口部４２を、ケージ３４が挿入される方向と、その反対方向に向けることができる。
【００６２】
担体Ｔの内壁上に設けた溝５７として形成されたハウジング側面上のガイド領域において、搬送が行われる。舌部２２のガイド突出部Ｆは、この溝５７と係合する。これらは、突出する円筒形のスタンプ（切株）である。突出部は、２つの舌部２２の支持されない端部において配置されている。ハウジング３の装填開口部２０に対して、それらの位置が決定される。吸入管１１の畳み込まれた位置において、吸入管の肩部２８が、舌部２２の対抗肩部５８とぶつかり、続いて、対抗肩部５８がケージ３４の端壁４０のカラーを形成する背面とぶつかる。舌部の側面が符号５９で記されている。ガイド突出部Ｆおよび横軸５６を横断する仮想線の両面に同様に形成されるのは、回転対称構造を有するため、第２の対抗肩部５８および第２の係止端面５９である。この線は、ケージ３４の挿入方向に対して角度４５°で延びる。
【００６３】
図２７で示す支持された構成を有するため、ガイド突出部Ｆ、より正確には円筒形スタンプは、長手方向のガイド位置合わせを有し、この通路内において、必要ならば、両方向に克服可能なラッチ突出部が配置されている。このラッチ突出部は、溝５７の前方に取り付けられている。ラッチ突出部６０を通過すると、スタッド接続５４／５５は解除される。
【００６４】
ケージ３４がバー５とともに引き離されたとき、吸入管１１は、舌部２２により、担体Ｔの上に保持されたままである。このとき、ケージ３４を回転させて、再び挿入することができる。他方、例えば、新しい吸入管１１を保持する次のバー５またはケージ３４を挿入するために、吸入管を完全に取り外すことも常に可能である。
【００６５】
吸入管１１がガイドされたとき、つまり吸入管１１が担体Ｔの溝５７に搬送されたとき、歯状列６２にある供給側面上のリフト突出部６１を用いて、吸入管１１を効果的に取り外すことができる。波状列の歯６３は、その間に歯状ギャップ５３を形成する。この改良点において、歯状ギャップ５３もまた、吸入管１１の穿孔動作のためのガイド通路としての役割を果たす。このガイド通路は、ケージ３４の挿入動作に対して垂直方向に位置合わせされている。ここでも同様に、吸入管の側面上にあるガイド部材は、リブ５２である。歯状ギャップ５３は、ブリスタパックのキャビティ１の間隔に応じて配置される。つまり、歯状ギャップ５３は、適正な間隔をおいて配置されている。
【００６６】
一対のリフト突出部６１の上に立つリブ５２は、ヘッド部上にある歯状列６２の第１歯６３が勾配を有するように形成されており、続いて、図２９で示すように、持ち上げ状態にする。まっすぐなリブ５２の長手方向の下側側面が、歯状列６２の後続の歯６３のまっすぐに位置合わせされたヘッド部上に、ガイドされ、支持されている。ここでも同様に、勾配は符号５１で記されている。突出部６１上の全体の隆起通路は、上流側のハウジング側の突出部分５１’の隆起通路を含み、１つまたは複数のスタッド５４の垂直方向の長さに対応する。こうして、孔５５からスタッド５４を完全に持ち上げることができる。
【００６７】
改良点によれば、リブ５２は、外側側面上において、横軸５６の方向のラッチ突出部６４内に延長する。ラッチ突出部は、横方向側面上において突出し、ラッチ凹部６５と協働する。ラッチ凹部６５は、歯状ギャップ５３のベース部分に配置されている。（図３２と比較されたい。）
【００６８】
図２２において、キャップ状の蓋４は、折り畳み可能なように、ハウジング３に取り付けられている一方、（蓋は、ブックカバーのように開いた位置に動かすことができる）、図２３などによる改良点は、同様に、追加的に、畳み込んだ位置に動かすことができる。これにより、上側方向において自由空間が形成され、自由空間により、装填、取り外しおよび使用が容易となり、前方保持ハンドル６６が形成される。
【００６９】
このため、折り畳み動作およびスライド動作により、後方ハウジング端部、つまり装填開口部２０を超えて配置された下方位置に、蓋４を移動させる。ハウジング３の下方側において、蓋の長さの３分の２が保持ハンドル６６として突出している。
【００７０】
ハウジング３と蓋４の間の屈伸する多角形を用いて、強制的に制御された手法で、折り畳んだ状態から開かれる。この点に関して、蓋４がさらに吸入管１１を考慮するように、蓋４の移動通路は設定されている。このとき、吸入管は、外形形状に関して、ハウジング３の上側側面の上方に突出部として畳み込まれるように設定されている。したがって、接触が起こらない。この点に関して、蓋４が横方向に突出し、対をなすアームを有するように、詳細に構成される。それは、フォーク状の突出部を有し、この突出部は、キャップ状の蓋４のリム側面において始まり、蓋の長手方向の側壁とともに直線上に配列され、蓋の長手方向の延長部に対して横方向に突出している。アーム６７に端部に配置されるのは、ガイドスタッド６８である。これは、ハウジング３のガイドスロット６９内に係合する。これは、ハウジングのほぼ全長に亙って延び、移動をガイドするためだけではなく、屈伸動作を行うためにも利用される。これは、上述の畳み込む動作のためのものである。
【００７１】
このガイドスロット６９は、上側ハウジング側面に沿って延び、とりわけ、歯状ギャップ５３の平面を横断する。歯状ギャップ５３は、ラッチ突出部６４のための窓状貫通部分の形態を有するラッチ凹部６５を形成する。
【００７２】
加えて、蓋４は、接続ロッド７０、ハウジング側面上の固定された接続ポイント７１および蓋側の移動可能な接続ポイント７２を介して、ハウジング３と接続される。接続ポイント７１、７２は、両方ともに軸方向のスタンプとして形成される。接続ポイント７２が移動可能であるため、蓋４は、リムの近くにおいて、蓋のリムに対して平行に延びる長手方向のスロット７３を有する。その接続ポイントにおいて、ハウジング３の端面に対して閉じる方向に畳み込む状態で、接続ロッド７０もまた、蓋がさらに閉じる位置へ移動するように、この長手方向のスロットの長さが設定される。このとき、装填開口部２０に関する蓋４の端壁４１は、例えば、その接続ポイントにおいて、装填開口部２０およびラッチの前方を封止するように配置される。これらの状況下において、接続ロッド７０は、ハウジング３の端面壁がん７４内で回転する。
【００７３】
符号７１で示された接続ポイントは、ハウジング３のベース２６の近くに配置されている。
【００７４】
ガイドスロット６９は、ハウジングの後端において、下方向に向いた部分７５内へと延長する。部分７５は、実質的にベース２６に至るまで延びる。それは、凸状に延びる弧として、ハウジング３の長手方向の延長部に対して、横方向に形成されている。キャップ動作に関して、とりわけ、蓋４が移動するとき、部分７５により上昇または下降動作が行われ、蓋のリム端部４１’が、ケージ３４の端部近くで接続される吸入管の上方を接触することなく、畳み込まれた状態へ移動するように、キャップ動作が外向きのガイド動作を有する。したがって、蓋４と、畳み込まれた吸入管１１のベース部分の露出端部７６との間において、接触が生じることはまったくない。
【００７５】
蓋４の折り畳み動作に関して、ケージ３４の端壁４０は、使用の指標または独創性の保証を形成するように設計されている。このため、ケージ３４の回転可能な角度に応じて配置される独創的なブリッジ封止７７が、端壁４０上に形成される。これらは、プラトー４８において延びている。これらは、プラトーのリムを超えてアクセスできるように配置されている。内側方向に向いた凹部７８の入口を封止するストリップが存在する。この凹部は、その端部７８において、所定の破壊ポイント７９の端部上にかかっている。
【００７６】
独創的なブリッジ封止７７の外側は、蓋４のラグ８０の動作範囲内に配置される。ラグは、蓋４のリム端部４１’を超えて突出する突出部である。蓋が閉じる最終段階において、独創的ブリッジ封止７７を崩壊させる、つまり壊す。
【００７７】
このような独創的封止ブリッジ７７は、端壁４０の色とは光学的に、かつ視覚的に対照的にして、際立たせることができる。キャビティ列が使用されるか、空になった場合、それが一目瞭然となる。
【００７８】
ケージ３４内の開口部３８は、例えば、図３４から明らかなように、独立した設計を有していてもよい。
【００７９】
同様に、この改良の場合、吸入管１１の交換に際して、切断エッジ１２に触れないように注意を払う必要がある。溝５７は、吸入管の垂直方向の動作に対して、高さにおいて一致している。歯状ギャップ５３を含む吸入管のガイド位置合わせは、常に優先される。この位置において、切断エッジ１４は、穿孔に適した手法で、被覆ホイル９または支持されない伸張部分９’と重なり合う。
【００８０】
第３の例示的な実施形態（図３８ないし図４４）は、構造的に変形されたユニットを示す。この実施形態において、上述の例示的な実施形態の担体Ｔのスロット１９を用いることを前提としている。舌部を配置することも、この技術的概念に含まれる。延長部８１は、吸入管１１の穿孔フランクの側面まで、所定の距離だけ延びている。このとき、穿孔フランクの中央にあるのが、切断エッジ１２で、同様に、湾曲ブレードの形態を有し、２つの隣接するフランクは、被覆ホイルの断片を押し退けるための、穿孔ブレード１４として機能する。
【００８１】
延長部８１は、舌部８２の形態を有するように設計される。穿孔マンドレルの端部において、吸入管１１にフォークヘッドの形態が与えられる。人間の手の指先がフォーク空間内に入らないように、つまり、穿孔フランクに対して汚染または損傷が起こらないように、舌部８２は配置される。舌部８２は、穿孔ブレードおよび切断エッジを超えて軸方向に固く突出している。
【００８２】
担体Ｔのプレート１０５は、シガレットボックスの外形よりも大きい程度で、複数列（例えば、４列）、またはそれ以上（例えば、７列）に配置された孔１７を有し、列と平行な上側面において延びるスロット１９を有する。上述のスロットは、吸入管の通路孔１７の列におけるガイドレールまたはガイド溝として延びている。また、上述のスロットにより、好適にも、吸入管を予め方向付けることができる。舌部８２は、吸入管１１を配置して、孔１７に対して穿孔する間に、上述の機能を果たすことができる。
【００８３】
フォークのような延長部８１、またはこれを具現化した舌部８２は、軸方向の突出した長さを有している。スロット１９の挿入位置にあるとき、湾曲ブレードの切断エッジ１２、および水平方向に隣接する多少短い穿孔ブレード１４は、平面１０５の上側面と接触することはなく、損傷を受けることはない。吸入管１１が穿孔に適した位置に配置された場合のみ、キャビティ１への侵入が可能となる。この位置は、担体Ｔ内のスロット８３として記された個々のスロットにより決まり、スロット１９のベースから下方向に進む。したがって、上述のスロット８３は、同様に、吸入管の通路穴１７の側面において配置され、対をなすことも任意である。固定ピン型で、それゆえ正確な接続配置が実現される。この目的に限れば、水平方向の延長部８１だけでも十分である。ただし、対をなす構成は、以下に示す目的を果たす。プレート１０５内に配置されたスロット８３は、先に説明した歯状ギャップ５３の設計と機能において、比較が可能である。歯状ギャップには、吸入管１１の水平リブ５２が侵入する。
【００８４】
プレート１０５とブリスタパック２は、一体に結合される。プレート１０５は、マスクか穿孔されたシーブのように、ブリスタパック２の上方に延びている。担体の４つの角部の領域において、上方向に突出するピンＳｔが、ブリスタ２の保持するように孔Ｌに入り（図４３ｂ参照）、下側部分において孔Ｌ’内へ下方向に入る。スロット１９のベースから延びる個々のスロット８３は、ブリスタパック２の各挿入スロット８４に対して一致するように配置されている。好都合にも、被覆ホイルにももまた、このように対応する溝が設けてある。この挿入スロットは、符号８５で記されている。舌部８２がスロット８３、８５、８４を介して係合する。舌部は、最終的には、支持されずに突出するように、キャビティ１を形成するブリスタパック２内の凹部７の間に突入する。このようにして、吸入管を用いて適当に使用するために、キャビティ１が個別化されている。
【００８５】
舌部８２は、端部において、半円形状で凸状に丸くなっている。これは、吸入管１１上における穿孔のセンタリング動作を行い、挿入位置に配置しやすくする。穿孔動作を組み合わせる間、舌部８２の平行で長手方向に延びたフランクは、各々、スロット８３または挿入スロット８５および８４の端部上に支持されている。（図４０と比較されたい。）
【００８６】
吸入管１１は、担体Ｔ、あるいはプレートまたはブリスタ１０５に固定的に接続されるが、保持ストラップ８６を用いて、ぐらつくように移動可能である。保持ストラップ８６は、タンク車のような本体部を有し、それぞれの接続はフィルムヒンジにより一体に接続されている。材料的に接合された一体合成物が、長方形の外形形状を有するプレート１０５の狭小な側面の１つにおいて、中央に配置されることが好ましい。保持ストラップ８６の固定ポイントは、符号８６’で記され、吸入管側の端部は符号８６”で記されている。この場合、各々が同様にフィルムヒンジである。
【００８７】
処分に適した捕獲されるように接続される吸入管１１は、担体Ｔ上に着脱自在に実装することができる。このため、プレート１０５は、プレート１０５の他の狭小な側面の領域において、実装部８７を有する。これも同様に、中央に配置される。吸入管側における延長部８１または舌部８２は、このポイントにおいて実装するために用いられる。これらは、支持ソケット８８の形態を有する接続舌部として機能する。担体側の軸方向スタンプ８９は、孔または中空領域内にラッチする。上述の軸方向スタンプは、吸入管１１のために、担体Ｔの上に、折り畳み可能な実装部を与えるように配置される。軸方向スタンプ８９は、ニップル状または半球状に設計され、実装部８７の２つの側面プレート８７’の内側に形成されている。平行な側面プレート８７’が、外側端壁８７”とともに形成される。外側端壁は、側面プレートとプレート１０５の上側部分を接合し、プレート１０５の上側部分は、リムにおいて、支持凹部９０を任意に取り外す。こうして、吸入管１１は、穿孔フランクを保護するような手法で、担体Ｔの上側側面上に平坦に折り畳むことができ、あるいは、把持しやすい明確な突出位置に搬送することができる。図４１ないし図４３を参照されたい。端壁８７”の内側は、折り畳みを制限する係止部となる。
【００８８】
ブリスタパック２と担体Ｔを収容し、蓋により閉じられるハウジング９１を用いて、適当に折り畳むことが制御できる。これは、蓋を用いて、折り畳む場合である。吸入管１１の上にラッチする蓋の取付部９１’を用いて、軸方向スタンプ８９で定義される幾何学的軸の周りを回転させることにより、吸入管が保持するのに適した位置まで折り畳まれるように、上述の供給ユニットは、この接続において取り付けられる。吸入管１１は、広げた位置に設定されると、好適にも、ラッチとして機能するとともに、使用後再び同様に係合する軸方向スタンプ８９に対して、実装部８７の支持凹部９０から取り外すことができる。担体およびこれに接着するブリスタ２は、折り畳みケースの下側部品内に配置され、そのポイントにおけるベース側にある長手方向のリブＲが、２つのキャビティ列の間を合致するように通る。長手方向のリブＲは、その頂点において、舌部８２の端部８２’のための挿入開口部８３’を有する。この挿入開口部８３’は、ブリスタの個々のスロット８３に対して位置合わせされている。（図４３ｂ）
【００８９】
吸入管１１を供給ユニットに接合することにより、これを短時間で使用することができる。その結果、新しい吸入管１１は、常に新しいユニットＴ／２またはブリスタ２とともに用いることができる。理解するために必要ならば、時々、文中には反復しないが、最初に説明した例示的な実施形態の参照符号を同様に用いられる。
【００９０】
ここで、第４の例示的な実施形態に関する装置Ｖにおいて、穿孔フランクを保護するための延長部８１は、フォーク状ではなく、環状に設計されている。とりわけ、吸入管１１の上において長手方向に移動可能に実装されるスリーブＨがある。上述のスリーブは、吸入管１１の挿入端部、すなわちマウスピースの開口部４２から離れた端部よりも上方に延びている。上述の挿入端部９２は、第１の例示的な実施形態の穿孔部分２７に、ほぼ相当するものである。
【００９１】
挿入端部９２は、後方のガイドシャフト９３内に延びる。後方ガイドシャフト９３は、半径方向の外側に固定されるため、吸入管１１を形成する本体部内を自由に突出する。半径方向のクリアランスは、突入方向において開いている吸入管１１の溝９４により決まる。これは、環状の溝であってもよい。
【００９２】
スリーブＨとして設計された延長部８１は、２つの移動制限位置における所定位置に固定される。このため、穿孔フランク、つまり切断エッジ１２と２つの隣接する突入ブレード１４を超えて突出する位置（図４７）と、穿孔フランクを露出させる後退位置（図５０）の両方において、スリーブＨをラッチすることができる。穿孔フランクを露出させる後退位置において、フランクは、キャビティ１内に配置される。ただし、操作する手の指またはプレート１０５の接触による接触可能なアクセスに起因して、ギャップが妨げられる。というのは、吸入管１１が穿孔位置から引き出されたとき、スリーブＨは、一種の環状シールドとして、自動的に前方へガイドシャフト９３の上を引っ張られるためである。これは、以下説明するように、担体Ｔが関与することにより行われる。
【００９３】
外側リング９５は、延長部の側面上にあるラッチ手段として機能する。これは、スリーブＨの支持されない、つまり突出する端部の上に配置される。
【００９４】
スリーブＨの反対側の端部に配置されているのは、内側リング９６である。内側リングは、ラッチ段差９７および９８と協働する。ラッチ段差９７は、急勾配な障壁フランクを有する。他方、符号９８で記されたラッチ段差は、傾斜をもったフランクを有する。上述のラッチ段差９８は、スリーブＨの上において、引っ張り動作により乗り越えることができる。
【００９５】
スリーブＨの外壁は、２つのアームと２つの爪として形成される。関連する詳細について、図４６を参照されたい。使用される材料の復元力により、スリーブＨのために、組み込まれたばね動作が確保される。ばね動作を実現するための半径方向の可動性は、スリーブＨの長手方向に延びるスロットに依存している。このため、スロットの対は、本質的に円筒形状であるスリーブ壁の２つのスリーブ端部から延びている。スロットは、各々、参照符号９９および１００を有する。スロットは、反対の方向において、スリーブＨの端面に向かって開いており、つまり、スロットのベースは、互いに向き合っている。２つのスロット対９９、９９および１００、１００からなるスロット９９および１００は、共通の延長表面に配置され、とりわけ、断面方向から見て、円形スリーブＨの正反対の領域に配置されている。スリーブの長さは、スリーブＨの外経の２倍ないし３倍に等しい。
【００９６】
見て分かるように、周辺ブリッジ１０１が両方のスロットの間に残るように、スロットベースが離間している。これにより、図４６において、スリーブＨを横断し、その幾何学的軸が符号１０２で示される明確な接合ポイントが決まる。内側リング９６のラッチされない半径方向の動作は、接合ポイント１０２の周りで行われる。
【００９７】
周辺ブリッジ１０１は、長手方向のスロット１０３において中断している。上述の長手方向のスロット１０３は、スリーブ壁全体を貫通し、幾何学的軸１０２を介して延びる平面に対して横方向にある平面上に配置されている。こうして、スリーブＨの２重アーム爪の櫛部または背中部のばね特性が増加する。長手方向のスロット１０３は、スリーブＨの端面から同一距離にある両方の側面において終わっている。それら（１０３）は、スリーブＨのほぼ半分を占めている。
【００９８】
スリーブＨの外側リング９５は、ガイドするように、担体Ｔの吸入管の通路孔１７と相互作用する。マスクタイプのプレート１０５に配置された孔１７は、まず、担体Ｔの外側で上側の孔の各リムエッジ１７’と相互作用する。これにより、初期配置がほぼ完了する。勾配を有するリムエッジは、スリーブＨの端部リムのくびれを支援する。内向きの力を促進させるこうした手段は、スリーブＨに対して、外側リング９５を、スリーブの端部リムにおける導入勾配１０６内に延長させることにより実現される。外側スリーブ９５の内向きの力は、導入勾配１０６用いて、スリーブＨの内側リング１０５の外向きの力を所望するように容易に動作させるために利用される。上述の内側リングは、環状溝により形成されたラッチ段差９７から、引っかからないように持ち上げられる。これと同時に、適正な軸方向の作動圧力を用いて、スリーブＨの挿入動作が行われる。こうして、穿孔フランクを露出せることができる。この状態は、図５０において記録されている。見れば分かるように、内側リング９６は、上側障壁フランクを残して、溝９４により形成された空間内に向きを変えて移動する。スリーブＨは後退する。スリーブＨの上側端部リムは、溝９４の溝ベース１０７とぶつかる。この外側方向へのガイドは、スリーブ材料の復元力に対抗して、爪の機能の結果としてのみ可能となる。
【００９９】
スリーブＨの後退位置において、吸入管１１は、吸入管１１の肩部２８がプレート１０５の上側側面において、係止部を見出すまで、ブリスタパック２の方向に完全に付勢されている。この状態は、図５０の通りである。この状態において、キャビティ１は開いた状態にあり、その内容物は吸い出すようにアクセス可能である。適当な動作において、穿孔フランクがキャビティ１のベース部に接触しないようにすると、吸入管１１は、担体Ｔとラッチするように接続される。吸入管通路孔１７の内側の、または下側の孔のリム端部１７’がこの目的のために用いられる。これは、ラッチング・アンカを形成する外側リング９５のリム上側面により、ラッチするように係合される勾配であってもよい。
【０１００】
関連するラッチ位置し、スリーブＨの対応する内側リング９６上にあるラッチ段差９８の動作よりもしっかりと設定される。これは、吸入管１１が孔１７へ挿入され、または孔１７から後退する際、２つのラッチ状態の各々に自動的に移行することを意味している。吸入管１１がすでに引っ張られ、担体Ｔから分離したとき、スリーブＨ自体は、当初、内側ラッチ位置により担体Ｔ内に依然として保持されている。内側リング９６が入った後に限って、急勾配なフランクを有するラッチ段差９７は、当初、スリーブＨを保持していたラッチ位置がこれを放し、スリーブＨの下側リムは、前方に引っ張られ、リングシールドのように敏感なフランクの周囲に自らを配置する。
【０１０１】
吸入管１１を挿入して取り付ける際に、スリーブＨが後方からガイドされる。キャビティ１を開いて、吸入管１１により吸い出した後、スリーブＨは、再び、保護するための覆い被さる長さに設定される。
【０１０２】
この第４の例示的な実施形態において、追加的な吸入空気の流れが、同様に効果的である。この場合、長手方向のスロット１０、およびスリーブＨの外側にある環状空間を通路横断部分として用いる。この通路横断部分は、横方向の通気孔４３と比較することができる。加えて、横方向の開口部を形成するトンネル１０８は、大気と適当に接続するために、肩部の近くに設けてある。
【０１０３】
開示されたすべての特徴は、本発明において不可欠なものである。これらの書類にある特徴を本出願のクレームに付随して含めるために、本出願の開示において、関連／添付する優先権書類（予備出願の写し）の開示内容がすべて統合される。
【図面の簡単な説明】
【図１】  図１は、本発明に係る例示的な第１の実施形態による装置のほぼ実寸大の側面図を示す。
【図２】  図２は、図１の平面図である。
【図３】  図３は、この装置の装填側端面図である。
【図４】  図４は、この装置の側面図であって、この装置は、開いた状態の蓋を有し、挿入ケージがまだ完全に取り付けられておらず、ブリスタパックの中空バーを有し、畳み込まれた状態にある吸入管を有する。
【図５】  図５は、図４と同様の図であるが、吸入管は穿孔状態、つまり直立して使用できる状態になっている。
【図６】  図６は、図５の平面図である。
【図７】  図７は、図６のVII-VII線から見た拡大断面図であって、吸入管は移動位置にある。
【図８】  図８は、図７に対応する図であって、吸入管は穿孔位置にある。
【図９】  図９は、図６のIX-IX線から見た拡大断面図であって、先端が搬送されるように取り付けられた吸入管の動作を説明するためものである。
【図１０】  図１０は、図２のＸ−Ｘ線から見た拡大断面図である。
【図１１】  図１１は、図１０と同様の図であるが、蓋が取り外された位置にあって、吸入管が穿孔位置にある。
【図１２】  図１２は、キャビティを封止するための被覆ホイルを有するブリスタパックの平面図である。
【図１３】  図１３は、中空バーに折り畳れたブリスタパックを示す。
【図１４】  図１４は、ブリスタパックの中空バーの端面図であって、折り畳まれた形状を示す。
【図１５】  図１５は、ブリスタパックの中空バーを収容する挿入ケージの側面図である。
【図１６】  図１６は、ブリスタパックの中空バーを受容する挿入ケージの平面図である。
【図１７】  図１７は、図３に対応する端面図であって、この場合、挿入ケージだけを示す。
【図１８】  図１８は、中心部としてのブリスタパックを形成するバーの側面図である。
【図１９】  図１９は、中心部としてのブリスタパックを形成するバーの平面図である。
【図２０】  図２０は、図１７と同様の端面図である。
【図２１】  図２１は、図１８のXXI−XXI線から見た拡大断面図である。
【図２２】  図２２は、第２の例示的な実施形態として変形例を示す側面図である。
【図２３】  図２３は、第２の例示的な実施形態による装置の改良点を示す側面図あって、とりわけ蓋が閉じている。
【図２４】  図２４は、第２の例示的な実施形態による装置の改良点を示す平面図である。
【図２５】  図２５は、この装置の装填側の端面図である。
【図２６】  図２６は、この装置の反対側の端面図である。
【図２７】  図２７は、装填位置にある装置を示し、吸入管を保持するケージがハウジングに騎乗するように取り付けられ、この状態で蓋が下方位置に配置される。
【図２８】  図２８は、装填位置にある装置の平面図である。
【図２９】  図２９は、回転状態にある吸入管を有するケージを示す。
【図３０】  図３０は、図２９と同様の図であるが、吸入管とケージまたはバーの間の接続を解除した後の状態を示す。
【図３１】  図３１は、穿孔位置（一点破線で示した穿孔に適した直立位置）に設定された吸入管を含む装置を示す。
【図３２】  図３２は、図３１のXXXII-XXXII線から見た拡大断面図である。
【図３３】  図３３は、図３１のXXXIII-XXXIII線から見た拡大断面図であって、ここでは実線で示す。
【図３４】  図３４は、開いた状態にある装置の装填側の端面図である。
【図３５】  図３５は、接続に適した位置にある吸入管とケージの概略図である。
【図３６】  図３６は、独創的なブリッジ封止の１つの領域における部分的詳細図である。
【図３７】  図３７は、装填に適した装置の斜視図である。
【図３８】  図３８は、第３の例示的な実施形態を示す図ある。
【図３８ａ】  図３８ａは、正方形の角部が縮小した延長部／舌部を示す。
【図３９】  図３９は、挿入された吸入管の拡大図である。
【図４０】  図４０は、図３９のXLI−XLI線から見た断面図である。
【図４１】  図４１は、畳み込まれた吸入管を含む装置の概略図である。
【図４２】  図４２は、図４１に対応する図であって、とりわけ中間的な折り畳み位置にある吸入管を示す。
【図４３】  図４３は、図４１に対応する図であって、回転させて開くことができる包囲ハウジングの連行部材を用いて、保持位置に移動される吸入管を示す。
【図４３ａ】  図４３ａは、回転させて開くことができるハウジングの斜視図である。
【図４３ｂ】  図４３ｂは、ブリスタ付きの担体と挿入された吸入管が所定位置に配置されたハウジングの一部断面図である。
【図４４】  図４４は、図４３の平面図である。
【図４５】  図４５は、第４の例示的な実施形態による装置の斜視図であって、挿入に適した方向に配置された吸入管およびスリーブを示す。
【図４６】  図４６は、穿孔フランクを保護するためのスリーブの個別的な斜視図である。
【図４７】  図４７は、所定位置に配置されたスリーブを含む吸入管の接合部分を示す断面図である。
【図４８】  図４８は、後退位置に解除されたスリーブを含む吸入管を示す
【図４９】  図４９は、図４８の一部拡大図である。
【図５０】  図５０は、完全に穿孔した位置にある吸入管を示す。
【図５１】  図５１は、図５２の平面図である。
【図５２】  図５２は、図５１の端面図である。
【図１】
0004225692.tif 000002
【図２】
0004225692.tif 000003
【図３】
0004225692.tif 000004
【図４】
0004225692.tif 000005
【図５】
0004225692.tif 000006
【図６】
0004225692.tif 000007
【図７】
0004225692.tif 000008
【図８】
0004225692.tif 000009
【図９】
0004225692.tif 000010
【図１０】
0004225692.tif 000011
【図１１】
0004225692.tif 000012
【図１２】
0004225692.tif 000013
【図１３】
0004225692.tif 000014
【図１４】
0004225692.tif 000015
【図１５】
0004225692.tif 000016
【図１６】
0004225692.tif 000017
【図１７】
0004225692.tif 000018
【図１８】
0004225692.tif 000019
【図１９】
0004225692.tif 000020
【図２０】
0004225692.tif 000021
【図２１】
0004225692.tif 000022
【図２２】
0004225692.tif 000023
【図２３】
0004225692.tif 000024
【図２４】
0004225692.tif 000025
【図２５】
0004225692.tif 000026
【図２６】
0004225692.tif 000027
【図２７】
0004225692.tif 000028
【図２８】
0004225692.tif 000029
【図２９】
0004225692.tif 000030
【図３０】
0004225692.tif 000031
【図３１】
0004225692.tif 000032
【図３２】
0004225692.tif 000033
【図３３】
0004225692.tif 000034
【図３４】
0004225692.tif 000035
【図３５】
0004225692.tif 000036
【図３６】
0004225692.tif 000037
【図３７】
0004225692.tif 000038
【図３８】
0004225692.tif 000039
【図３８ａ】
0004225692.tif 000040
【図３９】
0004225692.tif 000041
【図４０】
0004225692.tif 000042
【図４１】
0004225692.tif 000043
【図４２】
0004225692.tif 000044
【図４３】
0004225692.tif 000045
【図４３ａ】
0004225692.tif 000046
【図４３ｂ】
0004225692.tif 000047
【図４４】
0004225692.tif 000048
【図４５】
0004225692.tif 000049
【図４６】
0004225692.tif 000050
【図４７】
0004225692.tif 000051
【図４８】
0004225692.tif 000052
【図４９】
0004225692.tif 000053
【図５０】
0004225692.tif 000054
【図５１】
0004225692.tif 000055
【図５２】
0004225692.tif 000056